(57)【特許請求の範囲】
【請求項１】
一方の複数の仕切板と他方の複数の仕切板とがそれぞれ交差されて格子状に組み合されて、シュリンクフィルムで包装された突起部付の被収容物を収容するための複数の収容部が設けられてなる梱包箱用の中仕切材において、
前記中仕切材を構成する前記一方の仕切板と前記他方の仕切板との交差部上部の全部または一部に前記被収容物の突起部を配設可能な切抜部が設けられ、
前記一方及び前記他方の仕切板の各上端縁に、前記切抜部を構成する複数の切欠が設けられるとともに、前記切欠同士の間に突出部が形成され、前記突出部の側端縁に凹部が設けられ、
前記凹部の上端縁は前記突起部の最も突出している部分よりも上方に配され、
前記凹部の下端縁は前記突起部の最も突出している部分よりも下方に配されていることを特徴とする梱包箱用の中仕切材。
【請求項２】
請求項１に記載の梱包箱用の中仕切材と、前記中仕切材が収容された梱包箱と、前記中仕切材の前記収容部にそれぞれ収容された被収容物とから構成され、前記被収容物は、柱状の容器本体と、前記容器本体の上部に取り付けられるとともに突起部を有する内容物取出部と、前記容器本体及び前記内容物取出部を包装するシュリンクフィルムと、からなり、
前記の各収容部に前記複数の被収容物をそれぞれ収容する際に、前記被収容物の前記突起部を前記切抜部に配設することを特徴とする梱包体。
【発明の詳細な説明】
【技術分野】
【０００１】
本発明は、梱包箱用の中仕切材及び梱包体に関する。
【背景技術】
【０００２】
梱包箱用の中仕切材は一般に、複数の仕切板をそれぞれ平面視格子状に組み合せて構成され、被収容物を収容するための複数の収容部が設けられている。
【０００３】
そして、段ボールなどの梱包箱に、複数の被収容物を収容する際には、中仕切材を梱包箱に収容し、中仕切材の複数の収容部に被収容物をそれぞれ収容することで、被収容物同士の接触を防いでいる。
【０００４】
ところで、このような中仕切材を備えた梱包箱に収容する被収容物として、自噴式のスプレー缶や、ガングリップ型のスプレー缶が知られている。これらは図２に示すように、内容物を収納する容器本体３１と、容器本体３１の内容物を取り出すために容器本体３１の頭部に取り付けられたスプレー噴射部３２とが備えられている。図２に示すスプレー缶３０のスプレー噴射部３２は、容器本体３１に対して折りたたみ可能なノズル部４５と、容器本体３１の径よりも突出した突起部３３が設けられている。突起部３３はノズル部４５の折りたたみ機構を保護するために設けられている。また、突起部３３には端縁３３ａ，３３ｂが設けられている。
また、製品として出荷されるスプレー缶３０は通常、シュリンクフィルム４０で全体が包装されている。
【０００５】
図１７及び図１８は、シュリンクフィルム４０で包装されたスプレー缶３０を従来一般の中仕切材の収容部に収容した状態を示す平面図である。図１７は容器本体３１が円柱状であるスプレー缶３０の収容状態を示し、図１８は容器本体３１が楕円柱状であるスプレー缶３０の収容状態を示している。
図１７及び図１８に示す中仕切材においては、仕切板５，６によって形成される収容部８にスプレー缶３０を収容する際に、突起部３３の端縁３３ａ，３３ｂが仕切板５，６にそれぞれ接触する。このため、外部から衝撃が加わる等によりスプレー缶３０が収容部８内で振動し、端縁３３ａ，３３ｂと仕切板５，６が擦れてシュリンクフィルムに傷や穴が発生する問題があった。
【０００６】
従来、中仕切材としては、箱体に収容する容器の凸部同士の間のみに仕切板が設けられた梱包用中仕切（特許文献１を参照）や、縦仕切板と横仕切板との交差位置上部に嵌込用切欠部が切設されたケースの仕切材（特許文献２を参照）が提案されている。
【０００７】
図２に示すスプレー缶３０を、特許文献１，２に記載の中仕切材に収容しようとすると、スプレー缶３０全体を中仕切りで確実に固定できず、スプレー缶３０の姿勢が不安定になり、スプレー噴射部３２の位置が定まらず、隣接するスプレー缶３０の突起部３３同士が衝突する可能性があった。また、突起部３３の端縁３３ａ，３３ｂにおけるシュリンクフィルムの破損を防止できない問題があった。
【先行技術文献】
【特許文献】
【０００８】
【特許文献１】特開２００２−００２６７６号公報
【特許文献２】実開昭５６−１６４９２１号公報
【発明の概要】
【発明が解決しようとする課題】
【０００９】
本発明は、上記事情に鑑みてなされたものであって、被収納物を確実に固定し、かつ、被収容物のシュリンクフィルムの傷や穴の発生を防止可能な梱包箱用の中仕切材及び梱包体を提供することを目的とする。
【課題を解決するための手段】
【００１０】
上記の目的を達成するために、本発明は以下の構成を採用した。
すなわち、本発明の梱包箱用の中仕切材は、一方の複数の仕切板と他方の複数の仕切板とがそれぞれ交差されて格子状に組み合されて、シュリンクフィルムで包装された突起部付の被収容物を収容するための複数の収容部が設けられてなる梱包箱用の中仕切材において、前記中仕切材を構成する前記一方の仕切板と前記他方の仕切板との交差部上部の全部または一部に前記被収容物の突起部を配設可能な切抜部が設けられ、前記一方及び前記他方の仕切板の各上端縁に、前記切抜部を構成する複数の切欠が設けられるとともに、前記切欠同士の間に突出部が形成され、前記突出部の側端縁に凹部が設けられ、前記凹部の上端縁は前記突起部の最も突出している部分よりも上方に配され、前記凹部の下端縁は前記突起部の最も突出している部分よりも配されていることを特徴とする。
【００１１】
また、本発明の梱包体は前述の梱包箱用の中仕切材と、前記中仕切材が収容された梱包箱と、前記中仕切材の前記収容部にそれぞれ収容された被収容物とから構成され、前記被収容物は、柱状の容器本体と、前記容器本体の上部に取り付けられるとともに突起部を有する内容物取出部と、前記容器本体及び前記内容物取出部を包装するシュリンクフィルムと、からなり、前記の各収容部に前記複数の被収容物をそれぞれ収容する際に、前記被収容物の前記突起部を前記切抜部に配設することを特徴とする。
【００１２】
上記の構成によれば、一方及び他方の仕切板の交差部上部の全部または一部に切抜部が設けられているので、中仕切材の収容部に被収容物をそれぞれ収容する際に、各被収容物の突起部が、切抜部にそれぞれ配設される。また、切抜部に突起部を配設させるようにすることで、収容部の大きさを、突起部を除いた被収容物の大きさに合わせることが可能になる。これにより、被収容物が安定して収容され、かつ、突起部におけるシュリンクフィルムが仕切板に接触することがないため、シュリンクフィルムの破損を防止できる。
また、上記の構成によれば、切抜部を構成する突出部の側端縁に凹部が設けられているので、突起部が切抜部に配設される際に、被収容物の突起部と突出部との接触箇所が、凹部の形成によって小さくなり、突起部におけるシュリンクフィルムと仕切板の突出部との接触が最小限に抑えられ、これによりシュリンクフィルムの破損を確実に防止できる。
更に、上記の構成によれば、上述の梱包箱用の中仕切材が収容された梱包箱内の複数の収容部に、前記複数の被収容物をそれぞれ収容するので、被収容物が安定して収容され、かつ、突起部におけるシュリンクフィルムが仕切板に接触することがないため、シュリンクフィルムの破損を防止できる。また、各被収容物の突起部をそれぞれ、同一の方向に配向させれば、梱包箱の内部の美観性を高めることができる。
【発明の効果】
【００１３】
本発明によれば、被収納物を確実に固定し、かつ、被収容物のシュリンクフィルムの傷や穴の発生を防止可能な梱包箱用の中仕切材及び梱包体を提供できる。
【図面の簡単な説明】
【００１４】
【図１】本発明の第１実施形態の梱包体の斜視図である。
【図２】被収容物の一例を示す模式図である。（ａ）は被収容物の平面図、（ｂ）は被収容物の正面図、（ｃ）は被収容物の右側面図である。
【図３】本発明の第１実施形態の中仕切材の斜視図である。
【図４】本発明の第１実施形態の中仕切材を構成する仕切板の平面図である。
【図５】本発明の第１実施形態の中仕切材を構成する別の仕切板の平面図である。
【図６】本発明の第１実施形態の梱包体の要部を示す拡大斜視図である。
【図７】本発明の第１実施形態の梱包体の要部を示す拡大平面図である。
【図８】本発明の第１実施形態の梱包体の要部を示す別の拡大平面図である。
【図９】本発明の第２実施形態の中仕切材の斜視図である。
【図１０】本発明の第２実施形態の中仕切材を構成する仕切板の平面図である。
【図１１】本発明の第２実施形態の中仕切材を構成する別の仕切板の平面図である。
【図１２】本発明の第２実施形態の梱包体の要部を示す拡大斜視図である。
【図１３】別の例の被収容物が収容された本発明の第１実施形態の梱包体の要部を示す、拡大平面図である。
【図１４】被収容物の更に別の例を示す斜視図である。
【図１５】被収容物の他の例を示す斜視図である。
【図１６】被収容物のその他の例を示す斜視図である。
【図１７】従来の梱包体の要部を示す拡大平面図である。
【図１８】従来の梱包体の要部を示す別の拡大平面図である。
【発明を実施するための形態】
【００１５】
以下、本発明を適用した実施形態について、図面を参照しながら説明する。
【００１６】
（第１の実施形態）
図１に示すように、本実施形態の梱包体１には、梱包箱２と、梱包箱２に収容された中仕切材７と、中仕切材７の複数の収容部８にそれぞれ収容されたスプレー缶３０とが備えられている。梱包箱２は２つの端面３ａ，３ｂと、２つの側面４ａ，４ｂと、底面９から構成される箱体である。また、梱包体１が運搬される際には、図示しない蓋が備えられる。
【００１７】
スプレー缶３０は、内容物を収納する容器本体３１と、内容物を取り出すために容器本体３１の頭部に取り付けられたスプレー噴射部３２とが備えられている。スプレー噴射部３２には、容器本体３１に対して折りたたみ可能なノズル部４５と、容器本体３１の径よりも突出した突起部３３が設けられている。突起部３３は、図２（ｂ）に示すように、ノズル部４５の折りたたみ機構４７を保護するために設けられている。突起部３３には、端縁３３ａ，３３ｂが設けられている。ノズル部４５は基部４５ａと、中間部４５ｂと、先端部４５ｃとが備えられており、基部４５ａは折りたたみ機構４７に装着されている。
以下の説明では、被収容物において容器本体から最も突出している部分を、最突起部と称する。スプレー缶３０の最突起部は、端縁３３ａ，３３ｂのそれぞれの下端３９ａ，３９ｂである。
【００１８】
また、スプレー缶３０はシュリンクフィルム４０で包装されている。シュリンクフィルム４０は包装時の熱収縮により、スプレー缶３０に密着した状態になるが、突起部３３やスプレー缶３０の段差等の周囲では収縮したシュリンクフィルム４０がスプレー缶３０の表面から部分的に浮いた状態になっている。具体的には、図２（ａ）に示すように、突起部３３の側方（Ａ，Ｂ）のシュリンクフィルム４０はスプレー缶３０から浮いた状態になっている。そして、図２（ｃ）に示すように、最突起部３９ａ，３９ｂとノズル４５の基部４５ａとの間（Ｃ）、ノズル４５の先端部４５ｃと容器本体３１との間（Ｄ）、スプレー噴射部３２の窪み（Ｅ）のシュリンクフィルム４０もスプレー缶３０から浮いた状態になっている。
【００１９】
次に本実施形態の中仕切材７は、図３に示すように、一方の複数の仕切板５と、他方の複数の仕切板６とがそれぞれ交差されて、格子状に組み合せられてなるものである。中仕切材７には、スプレー缶３０を収容するための複数の収容部８が設けられている。また、仕切板５と仕切板６との交差部上部の全部または一部にスプレー缶３０の突起部３３を配設可能な切抜部２５が設けられている。ここで、交差部上部は、仕切板５と仕切板６が交差して組み合わされた部分の上部を指す。また、中仕切材７を構成する仕切板５，６の全ての上端縁の両端部にも切抜部２５´が設けられている。
【００２０】
切抜部２５，２５´は、仕切板５，６に切欠を形成することによって構成される。以下、仕切板５，６について説明する。
図４に示すように、仕切板５の上端縁には、切抜部２５を構成する切欠２３が設けられており、切欠２３の形成によって突出部１０が形成されている。仕切板５の上端縁の左右両端には、切欠２３のほぼ半分の大きさの切欠２３´が設けられている。
また、仕切板５には切欠２３に連通する第１切込溝２１が設けられている。後述するように、第１切込溝２１は、仕切板６の第２切込溝２２と嵌め合わせて中仕切材７を組み立てるためのものである。第１切込溝２１は仕切板５の高さ方向略中央まで延在することが好ましい。
【００２１】
続いて、図５に示すように、仕切板６の上端縁には、切抜部２５を構成する切欠２４が設けられており、切欠２４の形成によって突出部１１が形成されている。仕切板６の上端縁の左右両端には、切欠２４のほぼ半分の大きさの切欠２４´が設けられている。
また、仕切板６の下端縁には第２切込溝２２が設けられている。第２切込溝２２は、第１切込溝２１と嵌め合わせて中仕切材７を組み立てるためのものである。第２切込溝２２は仕切板６の高さ方向略中央まで延在することが好ましい。
【００２２】
切欠２３，２４の幅は、スプレー缶３０の突起部３３の幅を勘案して決められることが好ましい。例えば、切欠２３，２４の幅ｗは、スプレー缶３０が梱包箱２に収納されたときに、スプレー缶３０の突起部３３周辺にあるシュリンクフィルム４０が切抜部２５を区画する突出部１０，１１の側端縁１５，１６に触れないように調整することが好ましい。同様に、切欠２３´，２４´の幅ｗ´は、スプレー缶３０が梱包箱２に収納されたときに、スプレー缶３０の突起部３３周辺にあるシュリンクフィルム４０が切抜部２５´を区画する突出部１０，１１の側端縁１５，１６に触れないように調整することが好ましい。
【００２３】
また、切欠２３，２３´，２４，２４´の深さｄは、収容部８にスプレー缶３０を収容したときに切抜部２５の下端縁がスプレー缶３０の最突起部３９より下方になるように決められるのが好ましい。
【００２４】
次に、梱包体１におけるスプレー缶３０の収容状態について説明する。
複数のスプレー缶３０は、中仕切材７の複数の収容部８にそれぞれ収容される際に、図６に示すように、各スプレー缶３０の突起部３３が中仕切材７の切抜部２５，２５´に嵌め込まれる。そのため、図７及び図８に示すように、収容部８の大きさは突起部３３の大きさを考慮せずに、容器本体３１の大きさに合わせればよい。これにより、スプレー缶３０の容器本体３１は４箇所３１ａ，３１ｂ，３１ｃ，３１ｄで収容部８の一部に接することになり、安定した状態で収容される。スプレー缶３０を収容部８から取り出す際は、切抜部２５、２５´内で指を突起部３３にかけてスプレー缶３０を引き抜くことで、簡単に取り出すことができる。また、梱包体１の大きさが従来の梱包体より縮小され、梱包箱２及び中仕切材７の材料の使用量を減らすことができる。
更に、突起部３３が切抜部２５，２５´に配設されることにより、突起部３３の端縁３３ａ，３３ｂのシュリンクフィルム４０は仕切板５，６と接触しない。これにより、端縁３３ａ，３３ｂのシュリンクフィルム４０の破損を防止できる。
【００２５】
梱包体１には、複数のスプレー缶３０がそれぞれ上述の収容状態で収められている。各スプレー缶３０の突起部３３はそれぞれ異なる方向に配向されても、同一の方向に配向されても、いずれでもよい。各スプレー缶３０の突起３３が同一の方向に配向されれば、図１に示すように美観性に優れた梱包体１が提供される。また、運搬等により梱包体１に外部から衝撃が加えられても、梱包体１の美観性は保持される。したがって、梱包体１が図示しない蓋で閉じられ、市販品として製造元から店頭に運搬された場合でも、店頭にて梱包体１の蓋を開けて、そのまま陳列することができる。
【００２６】
（第２の実施形態）
以下に、本発明を適用した第２の実施形態の梱包体１００について、図９〜図１２を参照し、説明する。なお、図９〜図１２に示す構成要素において、図３〜図６に示す構成要素と同一の構成要素には、図３〜図６と同一の符号を付してその説明を省略する。
【００２７】
梱包体１００は、梱包箱２と、梱包箱２に収容された中仕切材５０と、中仕切材５０の複数の収容部８にそれぞれスプレー缶３０とが備えられている。
中仕切材５０は、図９に示すように、一方の複数の仕切板５５と、他方の複数の仕切板５６とがそれぞれ交差されて、格子状に組み合せられてなるものである。
【００２８】
図１０に示すように、仕切板５５の突出部１０の側端縁１５に凹部６２が設けられている。また、図１１に示すように、仕切板５６の突出部１１の側端縁１６に凹部６３が設けられている。なお、図１０，１１においては、仕切板５５，５６の全ての突出部１０，１１の全ての側端縁１５，１６に凹部６２，６３が設けられているが、一部の突出部１０，１１の側端縁１５，１６に凹部６２，６３が設けられてもよい。
【００２９】
凹部６２，６３の上端縁は、図１２に示すように、スプレー缶３０の最突起部３９ａ，３９ｂよりも上方になることが好ましい。また、凹部６２，６３の下端縁は、最突起部３９ａ，３９ｂよりも下方になることが好ましい。
更に、凹部６３，６４のそれぞれの突出部１０，１１の側端縁１５，１６からの深さｄ２は、スプレー缶３０を中仕切材５０の収容部８に収容した際に、最突起部３９ａと突出部１１との接触、及び最突起部３９ｂと突出部１０との接触を防ぐことができる程度であることが好ましい。
【００３０】
次に、梱包体１００におけるスプレー缶３０の収容状態について説明する。
梱包体１００においては、突出部１０，１１に凹部６２，６３が設けられることで、図１２に示すように、スプレー缶３０の突起部３３と、突出部１０，１１との接触する可能性のある箇所が極めて小さくなる。これにより、端縁３３ａ，３３ｂのシュリンクフィルムの破損を確実に防止できる。また、最突起部３９ａ，３９ｂに中仕切材５０が全く接触しないため、最突起部３９ａ，３９ｂのシュリンクフィルム４０の破損を防ぐことができる。更に、スプレー缶３０の突起部３３の下方のシュリンクフィルムが浮いている箇所（図１２のＣ）が、凹部６２，６３に配設され、中仕切材５０と接触しないので、スプレー缶３０から浮いているシュリンクフィルム４０の破損を防止できる。
【００３１】
なお、梱包体１，１００には、被収容物として図１３に示すように、収容時に隣接する収容部８まで突出する程度の突起部３３´が備えられた延長ノズル付スプレー缶３０´が使われてもよい。このとき、収容部の大きさ、切欠の幅、深さ及び間隔は、突起部３３´の大きさ及び長さを勘案して調整されることが好ましい。
【００３２】
なおまた、梱包体１，１００には、被収容物として図１４〜図１６に示すような、シュリンクフィルムで包装されたスプレーや容器が使われても良い。図１４〜図１６のシュリンクフィルムの被梱包物において、図１のスプレー缶３０と同様の機能の部材には同一の符号を付してその説明を省略する。
【００３３】
図１４に示すガングリップ型スプレー缶７１のスプレー噴射部３２には、内容物を噴射する噴射部４３が設けられた突起部３３と、内容物を噴射部４３から噴射する量を調整するガングリップ４２とが備えられている。噴射部４３には端縁４３ａが設けられている。ガングリップ型スプレー缶７１の最突起部３９は、端縁４３ａの下端である。
ガングリップ型スプレー缶７１がシュリンクフィルム４０で包装される際には、熱収縮によりシュリンクフィルム４０がガングリップ型スプレー缶７１に密着する。しかし、図１４に示すように、最突起部３９とガングリップ４２との間（Ｃ）、ガングリップ４２と容器本体３１との間（Ｄ）、噴射部４３が設けられている端部に相対する突起部３３の端部の下方（Ｅ）のシュリンクフィルム４０はガングリップ型スプレー缶７１の表面から浮いた状態になる。
【００３４】
図１５に示すガングリップ型スプレー容器７２のスプレー噴射部３２には、内容物を噴射する噴射部４３が設けられた突起部３３と、内容物を噴射部４３から噴射する量を調整するガングリップ４２とが備えられている。噴射部４３には端部４３ａが設けられている。ガングリップ型スプレー容器７２の最突起部３９はガングリップ４２の先端である。
ガングリップ型スプレー容器７２がシュリンクフィルム４０で包装される際には、熱収縮によりシュリンクフィルム４０がガングリップ型スプレー容器７１に密着する。しかし、図１５に示すように、噴射部４３とガングリップ４２との間（Ｃ）、ガングリップ４２と容器本体３１との間（Ｄ）のシュリンクフィルム４０はガングリップ型スプレー容器７２の表面から浮いた状態になる。
【００３５】
図１６に示すチューブ型容器７３には、容器本体３１と、容器本体３１の頭部に取り付けられた内容物取出部３２が備えられている。また、内容物取出部３２には、容器本体３１に収められている内容物を出射する出射部４５と、キャップ４６と、その中間部４７が備えられている。出射部４５は、中間部４７を介して上下方向に動くようになっており、その上下方向の動きに伴い、内容物の出射量が調整される。出射部４５にはチューブ型の突起部３３が備えられ、突起部３３には端面３３ａが設けられている。チューブ型容器７３の最突起部３９は、端面３３ａの上端である。
チューブ型容器７３がシュリンクフィルム４０で包装される際には、熱収縮によりシュリンクフィルム４０がチューブ型容器７３に密着する。しかし、突起部３３とキャップ４６との間（Ｃ）、中間部４７とキャップ４６との間（Ｅ）のシュリンクフィルム４０はチューブ型容器７３の表面から浮いた状態になる。
【００３６】
中仕切材７，５０の収容部の大きさ、切欠の幅、深さ及び間隔は、図１４〜図１６の被収容物の突起部３３´の大きさや最突起部３９の位置を勘案して調整されることが好ましい。
【符号の説明】
【００３７】
１…梱包体、２…梱包箱、５，６，５５，５６…仕切板、７，５０…中仕切材、８…収容部、１０，１１…突出部、２３，２４…切欠、２５…切抜部、３０…スプレー缶、３１…スプレー本体、３２…スプレー噴射部、３３…突起部、４０…シュリンクフィルム
【図１】
0005736259.tif 000002
【図２】
0005736259.tif 000003
【図３】
0005736259.tif 000004
【図４】
0005736259.tif 000005
【図５】
0005736259.tif 000006
【図６】
0005736259.tif 000007
【図７】
0005736259.tif 000008
【図８】
0005736259.tif 000009
【図９】
0005736259.tif 000010
【図１０】
0005736259.tif 000011
【図１１】
0005736259.tif 000012
【図１２】
0005736259.tif 000013
【図１３】
0005736259.tif 000014
【図１４】
0005736259.tif 000015
【図１５】
0005736259.tif 000016
【図１６】
0005736259.tif 000017
【図１７】
0005736259.tif 000018
【図１８】
0005736259.tif 000019